(57)【要約】【課題】本発明は骨盤内を持続的に温めて温熱効果による痛みの緩和が可能になると共に心地良い温かさが得られる発熱部分を設けたパンツを提供することを目的とする。【解決手段】少なくともパンツ本体１の股部分11を、吸湿発熱繊維によって編み込まれた布地で作られたものと成す。パンツ本体１として、吸湿性と吸汗性及び速乾性を少なくとも有した布地で作られたものと成すのが好ましい。またパンツ本体１の少なくとも股部分11に、吸湿発熱繊維によって編み込まれた布片２を取付けたものとしても良い。更にパンツ本体１と、その股部分11或いは布片２が、弾性を有した布地で作られたものとするのが好ましい。【選択図】図１
2014019984.tif 000002
【特許請求の範囲】
【請求項１】
少なくともパンツ本体（１）の股部分（11）が、吸湿発熱繊維によって編み込まれた布地であることを特徴とする発熱部分を設けたパンツ。
【請求項２】
パンツ本体（１）が、吸湿性と吸汗性及び速乾性を少なくとも有した布地であり、前記パンツ本体（１）の股部分（11）が、吸湿発熱繊維によって編み込まれた布地であることを特徴とする発熱部分を設けたパンツ。
【請求項３】
前記パンツ本体（１）の少なくとも股部分（11）に、吸湿発熱繊維によって編み込まれた布片（２）が取付けられた請求項１又は２記載の発熱部分を設けたパンツ。
【請求項４】
前記パンツ本体（１）と、そのパンツ本体（１）の股部分（11）或いは前記布片（２）が、弾性を有した請求項１、２又は３記載の発熱部分を設けたパンツ。
【発明の詳細な説明】
【技術分野】
【０００１】
本発明は心地良い温かさで常時骨盤内が温まる発熱部分を設けたパンツに関する。
【背景技術】
【０００２】
骨盤周辺には血管が多く通っており、また骨盤の近くにある太腿の付け根には太い血管やリンパ管が通っている。このため、骨盤を温めることで血液の循環が良くなり、冷え症を改善し、ダイエットに役立ち、股関節痛の痛みなどを和らげることが出来ることが良く知られている。前記骨盤を温める場合には、風呂で半身浴するか、或いは使い捨てカイロなどを用いて温めることが行われている。この骨盤を温める方法は、持続時間が短く、いつまでもその状態を保持することは困難であった。特に使い捨てカイロを使用すると、温度が高くなり過ぎて火傷し易くなるため、その発熱源の表面に布を巻いて、温める温度が高くならないように調整する必要があると共に持続時間が短いため、新たなものを用意して所定時間（持続時間）毎に交換しなければならず面倒であった。
【０００３】
一方、骨盤を温めて冷え症の改善や生理痛を緩和させる目的で提案されたものとして、特開２００３ー２７５２３７「生理用ナプキン」がある。この構造は、パイプ綿等の吸収体を不透液性のバックシートと透液性のトップシートとで挟んだ構造の生理用ナプキンであり、バックシートとトップシートとの間に遠赤外線を放射する遠赤外線放射材を設けたものであった。また遠赤外線放射材を、１平方メートル当り２グラム以上３０グラム以下の配合で設けたものである。更に遠赤外線放射材を扁平な袋に包んだ形で設け、それを生理用ナプキン製造ラインに供給できるので、バックシートと吸収体とトップシート等を相互に貼り合わせて行くラインに於いて遠赤外線放射材が散るのを略確実に防止できるものであった。
【０００４】
しかしながら、特開２００３ー２７５２３７は、遠赤外線放射材は備長炭の微粉末を用い、消臭作用が発揮できる新規な生理用ナプキンであるが、この生理用ナプキンは使い捨て用であり、繰返して使用できないものであった。しかも、備長炭の微粉末は経血等の液体が含浸されると、遠赤外線を放射する能力が低下し、温熱効果が小さいものとなっていた。
【先行技術文献】
【特許文献】
【０００５】
【特許文献１】特開２００３ー２７５２３７号公報
【発明の概要】
【発明が解決しようとする課題】
【０００６】
本発明は骨盤内を持続的に温めて温熱効果による痛みの緩和が可能になると共に心地良い温かさが得られる発熱部分を設けたパンツを提供することを目的とする。
【０００７】
本発明の他の目的は、夏場でも快適に着用できる発熱部分を設けたパンツを提供するにある。
【課題を解決するための手段】
【０００８】
本発明は上記現状に鑑みて成されたものであり、つまり、少なくともパンツ本体の股部分を、吸湿発熱繊維によって編み込まれた布地で作られたものと成す。パンツ本体として吸湿性と吸汗性及び速乾性を少なくとも有した布地が用いられるのが好ましい。またパンツ本体の少なくとも股部分に、吸湿発熱繊維によって編み込まれた布片を取付けたものとしても良い。更にパンツ本体と、その股部分或いは布片が、弾性を有した布地で作られたものとするのが好ましい。
【発明の効果】
【０００９】
請求項１のように少なくともパンツ本体（１）の股部分（11）が、吸湿発熱繊維によって編み込まれた布地と成すことにより、骨盤内を常時温めることが可能となり、血液の循環が良くなって、温熱効果が得られるものとなるため、冷え症や生理痛の改善に役立つことが期待でき、ダイエットにも役立つと共に、股関節痛の痛みなどを和らげることが可能となる。更に何回も繰返して洗っても心地良い温かさがいつまでも得られるものとなるため、利用価値の高いものとなる。しかも従来の使い捨てカイロを使用する場合と異なり、低温火傷する心配は全くないものとなる。
【００１０】
請求項２のようにパンツ本体（１）が、吸湿性と吸汗性及び速乾性を少なくとも有した布地と成され、そのパンツ本体（１）の股部分（11）が、吸湿発熱繊維によって編み込まれた布地と成されることにより、請求項１と同様な効果が得られると共に、骨盤周辺から発散する湿気や流れ出る汗をパンツ本体（１）が吸収し、素早く湿気や汗を外部へ拡散して放出されるため、表面がサラサラ状態になると共に骨盤周辺が冷やされる結果となる。従って、本発明は骨盤内を常時温めることが可能となると共にその周辺が持続的に冷やされるため、特に夏場に於いては、快適に着用できるものとなるのである。
【００１１】
請求項３に示すようにパンツ本体（１）の少なくとも股部分（11）に、吸湿発熱繊維によって編み込まれた布片（２）が取付けられるものと成すことにより、請求項１と同様な効果が得られると共に既存のパンツ本体（１）に対しても容易に取付けることが可能となる。
【００１２】
請求項４に示すようにパンツ本体（１）と、その股部分（11）或いは前記布片（２）は弾性を有した布地とすることにより、パンツ本体（１）の発熱部分が骨盤内に密着して接触されるものとなるため、骨盤内を安定して温めることが可能となり、従来の温湿布が施されていた症状に対して、鎮痛する役目の援助がより有効なものとなる。
【図面の簡単な説明】
【００１３】
【図１】本発明の実施形態を示す説明図である。
【図２】図１の断面を示す説明図である。
【図３】本発明の使用状態を示す説明図である。
【発明を実施するための形態】
【００１４】
本発明の実施形態を図１に基づいて説明する。（１)は布製のパンツ本体であり、該パンツ本体（１）の材質としては一般に多く使用されている綿布地を用いると良いが、吸湿性，吸汗性，放湿性，速乾性を有する布地を用いるのが好ましい。又、前記パンツ本体（１）の股部分（11）に、吸湿発熱繊維によって編み込まれた布地や布片（２）を設ける方法としては、図１（ａ），図２（ａ）に示すように、吸湿発熱繊維によって編み込まれた柔軟で弾性を有する布地（発熱部分）をパンツ本体（１）の下半分に使用するものとしても良い。また図１（ｂ），図２（ｂ）に示すように股部分（11）を経てパンツ本体（１）の上端部まで、吸湿発熱繊維によって編み込まれた柔軟で弾性を有する布地を使用すると良い。更に図１（ｃ），図２（ｃ）のようにパンツ本体（１）の股部分（11）に、吸湿発熱繊維によって編み込まれた後述する布片（２）が取付けられるように後述する収納部（３）を設け、該収納部（３）に布片（２）を取付けても良い。また図１（ｄ），図２（ｄ）のように布片（２）を、パンツ本体（１）の股部分（11）に縫い付けて設けたものとしても良い。
【００１５】
（２）はパンツ本体（１）内部の股部分（11）に取付けるため、或いは縫い付けるための布片であり、該布片（２）は、骨盤内、特に排血口対応領域と略同じ範囲に設けられる四角形状或いは長円形状と成し、その大きさは、生理用ナプキンと略同じ大きさのものを用いると良く、その布片（２）としては、吸湿発熱繊維によって編み込まれた柔軟で弾性を有する布地を使用する。
【００１６】
前記パンツ本体（１）の吸湿性は、気体の汗を吸う性質で主に繊維の化学的な組成で決まり、パンツ本体（１）の速乾性は、合成繊維を改質して吸湿性や吸汗性を高め、吸収した汗は素早く放出されて速乾性を有するものとなる。またパンツ本体（１）の吸汗性は、液体の汗を吸う性質で繊維の単位質量当りの表面積を大きくすると向上し、且つ、その毛細管現象で吸水性（吸汗性）が向上するものとなる。尚、本発明で言う「吸汗性」は吸水性と略同じ意味で用いるものとする。前記パンツ本体（１）は、触った時に冷やっとする接触冷感を有する。この素材は繊維中に水分を多く含むことができ、熱伝導率が高いものである。このように肌に触れて涼しく感じる素材としては、例えば、クラレ製の「ソフィスタ」の素材，ユニクロ製・東レ製の「サラフィン／シルキードライ」と同質材料,ダイワボウ製の「クールドライ（登録商標）」を用いた布地などを用いるのが好ましい。尚、本発明で言う「接触冷感」を得るには、湿気や汗を吸収し且つそれを素早く発散して放出する際に生じる気化熱による冷却と、湿気や汗を吸収すると熱が吸収される性質を備えた布地による冷却と、その両方による冷却とがある。
【００１７】
次に前記パンツ本体（１）の発熱部分と前記布片（２）の吸湿発熱繊維としては、湿気を吸って熱を出し、心地良い温度が確保されるものであり、その吸湿発熱繊維や布地としては、例えば、東洋紡ＡＰ事業部製のモイスケア（登録商標名）や、ユニクロ製のヒートテック（登録商標名）と同質材料などを用いるのが好ましい。尚、前記パンツ本体（１）の発熱部分及び布片（２）は、通気性や吸湿発熱機能を有した不織布を用いても良い。
【００１８】
（３）はパンツ本体（１）の股部分（11）に布片（２）を取付けるために設けた収納部であり、収納部（３）はポケット状で布片（２）が長手方向から容易に挿入可能な開口部を設けたポケット方式とするのが好ましい。
【００１９】
次に本発明の作用について説明する。先ず始めに図３に示すようにパンツ本体（１）を穿くと、発熱部分は、従来の生理用ナプキンと同様に排血口と骨盤内に位置する。この時、パンツ本体（１）の発熱部分と布片（２）に弾性があれば、肌側に密着し、その部位の肌の湿気を吸収して熱が生じる。この熱によって骨盤内が温められると共に常時気持ちの良い温度で温めることが可能となるため、冷え症や生理痛の改善に役立ち、股関節痛などの痛みを和らげることが可能となる。更に血液の循環が良好になることにより、ダイエットにも役立つものとなる。しかも、低温火傷せずに血流が良好となり、治癒力が向上し、特に痛みが緩和される。又、本発明品は何回も繰返して洗濯が可能であり、洗っても心地良い温かさがいつまでも得られる。
【００２０】
尚、パンツ本体（１）全体を吸湿発熱繊維によって編み込まれた布地と成すことも考えられるが、これは夏場に於いて、腰回り全体が温まってしまうため、不快となると共に、体温上昇の要因となって熱中症が発生し易いものとなる。一方、本発明品は局所的に温めるため、骨盤内に有る血管や太腿の付け根の太い血管やリンパ管を有効に温めることができ、通気性が良好なものとなるため、一年間を通して着用できるものとなるのである。
【００２１】
特にパンツ本体（１）の布地として、吸湿性と吸汗性及び速乾性を少なくとも有したものを用いると、着用して肌に触れた時に冷やっとする接触冷感が得られるので、夏場に着用すると、快適に過ごせるものとなる。
【符号の説明】
【００２２】
１  パンツ本体
11  股部分
２  布片
【図１】
2014019984.tif 000003
【図２】
2014019984.tif 000004
【図３】
2014019984.tif 000005